(57)【特許請求の範囲】
【請求項１】
入力受付面を介してタッチ入力を受け付ける第１受付部と、前記入力受付面を介して筆記具による入力を受け付ける第２受付部とを含む入力受付部と、
制御部と、を備え、
前記制御部は、前記筆記具による入力および前記タッチ入力を有効とする第１モードが設定されているときに、第１切替条件を満たす入力が前記入力受付部に受け付けられたことに基づいて、前記第１モードから前記筆記具による入力を有効とし前記タッチ入力を無効とする第２モードに切り替えるとともに、
前記第１切替条件は、前記筆記具による前記入力受付面へのタッチが、当該タッチの位置の変動が第１所定範囲内に留まる状態で第１所定時間以上継続するとの条件を含む、
ことを特徴とする情報端末装置。
【請求項２】
請求項１に記載の情報端末装置において、
前記第１切替条件は、前記筆記具による前記入力受付面へのタッチが前記第１所定時間以上継続する間の少なくとも一部の期間において、前記タッチ入力が前記第１受付部に受け付けられるとの条件を含む、
ことを特徴とする情報端末装置。
【請求項３】
請求項２に記載の情報端末装置において、
前記第１切替条件は、前記少なくとも一部の期間に前記第１受付部で受け付けられる前記タッチ入力におけるタッチ面積が所定面積以上であるとの条件を含む、
ことを特徴とする情報端末装置。
【請求項４】
請求項２または３に記載の情報端末装置において、
前記第１切替条件は、前記少なくとも一部の期間に前記第１受付部で受け付けられる前記タッチ入力におけるタッチ面積の変化度合が所定度合以下であるとの条件を含む、
ことを特徴とする情報端末装置。
【請求項５】
請求項２ないし４の何れか一項に記載の情報端末装置において、
前記第１切替条件は、前記筆記具による前記入力受付面へのタッチの位置と、前記少なくとも一部の期間に前記第１受付部で受け付けられる前記タッチ入力の位置との距離が所定距離以下であるとの条件を含む、
ことを特徴とする情報端末装置。
【請求項６】
請求項１ないし５の何れか一項に記載の情報端末装置において、
前記制御部は、前記第２モードが設定されているときに、第２切替条件を満たす入力が前記入力受付部に受け付けられたことに基づいて、前記第２モードから前記第１モードに切り替えるとともに、
前記第２切替条件は、前記筆記具による前記入力受付面へのタッチが、当該タッチの位置の変動が第２所定範囲内に留まる状態で第２所定時間以上継続するとの条件を含む、
ことを特徴とする情報端末装置。
【請求項７】
請求項６に記載の情報端末装置において、
前記第２切替条件は、前記筆記具による前記入力受付面へのタッチが前記第２所定時間以上継続する間の少なくとも一部の期間において、前記タッチ入力が前記第１受付部に受け付けられるとの条件を含む、
ことを特徴とする情報端末装置。
【請求項８】
請求項６または７に記載の情報端末装置において、
前記第２切替条件は、前記筆記具による前記入力受付面へのタッチの継続時間が、前記第２所定時間より長い第３所定時間を超えないとの条件を含む、
ことを特徴とする情報端末装置。
【請求項９】
請求項１ないし８の何れか一項に記載の情報端末装置において、
表示部をさらに備え、
前記制御部は、前記第１モードと前記第２モードとの切り替えに応じた画像を前記表示部に表示させる、
ことを特徴とする情報端末装置。
【発明の詳細な説明】
【技術分野】
【０００１】
本発明は、手書き入力デバイスを備えた情報端末装置に関する。
【背景技術】
【０００２】
タブレット端末等の情報端末装置では、ペンによる入力および指等によるタッチ入力が可能なものが知られている。このような情報端末装置では、ペンによる入力が行われる際に、ペンを握った手により誤ってタッチ入力がなされることを防止するための構成が採られ得る。たとえば、特許文献１に記載の情報端末装置では、専用のペンによるペン入力と指等によるタッチ入力とが同時にある場合にタッチ入力を無効にする。タッチ入力の無効は、そのタッチ入力がなくなるまで継続される。
【先行技術文献】
【特許文献】
【０００３】
【特許文献１】特開２０１０−０２０６５８号公報
【発明の概要】
【発明が解決しようとする課題】
【０００４】
特許文献１に記載された情報端末装置では、ペン入力が行われていると看做される状況を検出することにより、その状況が継続する間、自動的にタッチ入力が無効にされる。
【０００５】
一方、ユーザが、所定の切替操作を行うことにより、入力モードを、ペン入力およびタッチ入力を有効とするマルチモードからペン入力を有効としタッチ入力を無効とするペンモードに切り替える構成を採ることもできる。このペンモードが設定されている間、タッチ入力が無効にされる。このような構成とする場合、ユーザがペンを用いた文字等の入力を行うに際し、ペンモードへの切替操作をなるべく良好に行えることが望ましい。
【０００６】
そこで、本発明は、筆記具を用いた自然な操作によってタッチ入力を無効にする入力モードへの切り替えを行える情報端末装置を提供することを目的とする。
【課題を解決するための手段】
【０００７】
本発明の主たる態様に係る情報端末装置は、入力受付面を介してタッチ入力を受け付ける第１受付部と、前記入力受付面を介して筆記具による入力を受け付ける第２受付部とを含む入力受付部と、制御部と、を備える。ここで、前記制御部は、前記筆記具による入力および前記タッチ入力を有効とする第１モードが設定されているときに、第１切替条件を満たす入力が前記入力受付部に受け付けられたことに基づいて、前記第１モードから前記筆記具による入力を有効とし前記タッチ入力を無効とする第２モードに切り替える。この場合に、前記第１切替条件は、前記筆記具による前記入力受付面へのタッチが、当該タッチの位置の変動が第１所定範囲内に留まる状態で第１所定時間以上継続するとの条件を含む。
【０００８】
上記の構成によれば、ユーザは、筆記具での文字等の入力を始めるに際して筆記具の先端を入力受付面上で静止させる、という自然な操作によって、入力モードを、タッチ入力を無効とする第２モードへ切り替えることができる。
【０００９】
本態様に係る情報端末装置において、前記第１切替条件は、前記筆記具による前記入力受付面へのタッチが前記第１所定時間以上継続する間の少なくとも一部の期間において、前記タッチ入力が前記第１受付部に受け付けられるとの条件を含み得る。
【００１０】
上記の構成によれば、ユーザは、筆記具を握った手を入力受付面に置きつつ筆記具の先端を入力受付面上で静止させることで入力モードが第２モードに切り替わる。このように、筆記具を握った手を入力受付面に置くことが第２モードへの切替条件に加わることで、ユーザの意図しない誤操作による入力モードの切り替わりを抑制できる。しかも、ユーザが意図的に筆記具の先端を入力受付面に接触させるときには、筆記具を握った手を自然と入力受付面に置きやすい。よって、上記の構成の場合も、ユーザは、自然な操作によって、入力モードを第２モードに切り替えることができる。
【００１１】
上記の構成とした場合、さらに、前記第１切替条件は、前記少なくとも一部の期間に前記第１受付部で受け付けられる前記タッチ入力におけるタッチ面積が所定面積以上であるとの条件を含み得る。
【００１２】
ユーザが筆記具を握った手を入力受付面に置いた場合、入力受付面の比較的広い領域が手で触れられることとなる。上記の構成とすれば、タッチ入力におけるタッチ面積が第２モードへの切替条件に加わることで、受け付けられたタッチ入力が、筆記具を握った手が入力受付面に置かれたことによるものであるか否かを精度よく判定できるので、ユーザの意図しない誤操作による入力モードの切り替わりを一層抑制できる。
【００１３】
上記の構成とした場合、さらに、前記第１切替条件は、前記少なくとも一部の期間に前記第１受付部で受け付けられる前記タッチ入力におけるタッチ面積の変化度合が所定度合以下であるとの条件を含み得る。
【００１４】
ユーザが筆記具を握った手を入力受付面に置いて筆記具の先端を入力受付面に接触させるときには、置かれた手は静止した状態となりやすく、手で触れられた入力受付面の領域の面積は変化しにくい。上記の構成とすれば、タッチ入力におけるタッチ面積の変化度合が第２モードへの切替条件に加わることで、受け付けられたタッチ入力が、筆記具を握った手が入力受付面に置かれたことによるものであるか否かを精度よく判定できるので、ユーザの意図しない誤操作による入力モードの切り替わりを一層抑制できる。
【００１５】
上記の構成とした場合、さらに、前記第１切替条件は、前記筆記具による前記入力受付面へのタッチの位置と、前記少なくとも一部の期間に前記第１受付部で受け付けられる前記タッチ入力の位置との距離が所定距離以下であるとの条件を含み得る。
【００１６】
ユーザが筆記具を握った手を入力受付面に置いて筆記具の先端を入力受付面に接触させているとき、筆記具によるタッチの位置と、置かれた手の領域、即ち、タッチ入力の位置との距離は、大凡決まった大きさとなる。上記の構成とすれば、筆記具によるタッチの位置とタッチ入力の位置との距離が第２入力モードへの切替条件に加わることで、受け付けられたタッチ入力が、筆記具を握った手が入力受付面に置かれたことによるものであるか否かを精度よく判定できるので、ユーザの意図しない誤操作による入力モードの切り替わりを一層抑制できる。
【００１７】
本態様に係る情報端末装置において、前記制御部は、前記第２モードが設定されているときに、第２切替条件を満たす入力が前記入力受付部に受け付けられたことに基づいて、前記第２モードから前記第１モードに切り替えるような構成とされ得る。この場合、前記第２切替条件は、前記筆記具による前記入力受付面へのタッチが、当該タッチの位置の変動が第２所定範囲内に留まる状態で第２所定時間以上継続するとの条件を含み得る。
【００１８】
上記の構成によれば、ユーザは、筆記具での文字等の入力を終えるに際して筆記具の先端を入力受付面上で静止させる、という自然な操作によって、入力モードを、タッチ入力を有効とする第１モードへ切り替えることができる。
【００１９】
上記の構成とした場合、さらに、前記第２切替条件は、前記筆記具による前記入力受付面へのタッチが前記第２所定時間以上継続する間の少なくとも一部の期間において、前記タッチ入力が前記第１受付部に受け付けられるとの条件を含み得る。
【００２０】
上記の構成によれば、ユーザは、筆記具を握った手を入力受付面に置きつつ筆記具の先端を入力受付面上で静止させることで入力モードが第１モードに切り替わる。このように、筆記具を握った手を入力受付面に置くことが第１モードへの切替条件に加わることで、第２モードへの切替操作の場合と同様に、自然な操作を維持しつつ、ユーザの意図しない誤操作による入力モードの切り替わりを抑制できる。
【００２１】
上記の構成とした場合、さらに、前記第２切替条件は、前記筆記具による前記入力受付面へのタッチの継続時間が、前記第２所定時間より長い第３所定時間を超えないとの条件を含み得る。
【００２２】
上記の構成とすれば、タッチの継続時間に上限が設けられているので、たとえば、ユーザが、筆記具を用いて文字等を入力している途中に筆記具の先端を入力受付面に接触させたまま考え事をするような状況が生じたときに、第２モードから第１モードに切り替わり、タッチ入力が有効となってしまう、ということが起こりにくい。
【００２３】
本態様に係る情報端末装置において、表示部をさらに備え、前記制御部は、前記第１モードと前記第２モードとの切り替えに応じた画像を前記表示部に表示させるような構成が採られ得る。
【００２４】
上記の構成によれば、タッチ入力が有効であるか無効であるかの状態をユーザが容易に把握できる。
【発明の効果】
【００２５】
以上のとおり、本発明によれば、筆記具を用いた自然な操作によってタッチ入力を無効にする入力モードへの切り替えを行える情報端末装置を提供できる。
【００２６】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２７】
【図１】図１（ａ）は、実施形態に係る、情報端末装置の正面図であり、図１（ｂ）は、実施形態に係る、情報端末装置の断面を示す図である。
【図２】図２は、実施形態に係る、情報端末装置の構成を示すブロック図である。
【図３】図３（ａ）は、実施形態に係る、ユーザがデジタイザペンを用いて入力モードの切替操作を行っている様子を示す図であり、図３（ｂ）は、実施形態に係る、ユーザがデジタイザペンを用いて手書き入力操作を行っている様子を示す図である。
【図４】図４は、実施形態に係る、入力モード切替処理を示すフローチャートである。
【図５】図５は、実施形態に係る、入力モード切替処理を示すフローチャートである。
【図６】図６（ａ）は、実施形態に係る、情報端末装置がマルチモードに設定されているときのタッチパネルの画面表示例を示す図であり、図６（ｂ）は、実施形態に係る、情報端末装置がマルチモードに設定されているときのタッチパネルの画面表示例を示す図である。
【図７】図７は、変更例１に係る、入力モード切替処理を示すフローチャートである。
【図８】図８（ａ）は、変更例２に係る、入力モード切替処理を示すフローチャートであり、図８（ｂ）は、変更例２に係る、ユーザがデジタイザペンを用いて入力モードの切替操作を行っている様子を示す図である。
【図９】図９は、変更例３に係る、入力モード切替処理を示すフローチャートである。
【図１０】図１０（ａ）は、変更例４に係る、入力モード切替処理を示すフローチャートであり、図１０（ｂ）は、変更例４に係る、ユーザがデジタイザペンを用いて入力モードの切替操作を行っている様子を示す図である。
【図１１】図１１は、変更例５に係る、入力モード切替処理を示すフローチャートである。
【発明を実施するための形態】
【００２８】
本実施形態は、情報端末装置の一種であるタブレット端末に本発明を適用したものである。本実施形態の情報端末装置は、教育用として利用されることが想定されている。なお、本発明は、タブレット端末に限らず、携帯電話機やノートパソコン等、他の種類の情報端末装置に適用されても良い。
【００２９】
図１（ａ）は、情報端末装置１の正面図であり、図１（ｂ）は、情報端末装置１の断面を示す図である。図１（ａ）、（ｂ）には、便宜上、互いに直交するＸＹＺ軸が示されている。Ｘ軸方向は、後述する入力受付面３１ａの短辺が延びる方向であり、Ｙ軸方向は、入力受付面３１ａの長辺が延びる方向であり、Ｚ軸方向は、入力受付面３１ａに垂直な方向である。
【００３０】
図１（ａ）、（ｂ）に示すように、情報端末装置１は、筐体１０と、デジタイザペン２０と、タッチパネル３０と、を備える。筐体１０には、デジタイザペン２０を収容するための収容部１１が設けられている。デジタイザペン２０のペン先（先端）２１には、巻線コイルとコンデンサが配されている。タッチパネル３０は、カバー３１と、液晶表示部３２と、タッチパッド３３と、デジタイザセンサ３４と、がＺ軸方向に重ねられた構成となっている。
【００３１】
カバー３１は、透明であり、筐体１０を覆っている。カバー３１の表側面（Ｚ軸正側の面）は、平坦な面である。タッチパッド３３とデジタイザセンサ３４に対する入力は、カバー３１の入力受付面３１ａを介して行われる。入力受付面３１ａは、カバー３１の表側面の中央部分に位置する矩形形状の面であり、タッチパッド３３とデジタイザセンサ３４における、入力を受付可能な領域に対応する。入力受付面３１ａは、縦横の長さが異なるように構成されている。
【００３２】
液晶表示部３２は、液晶パネルと、液晶パネルを照明するＬＥＤバックライトとを含み、各種の画像を表示する。なお、情報端末装置１には、液晶表示部３２以外の表示部、たとえば、有機ＥＬタイプの表示部が用いられてもよい。
【００３３】
タッチパッド３３は、透明であり、液晶表示部３２の表示面上に配され、入力受付面３１ａを介して指等による入力（以下、「タッチ入力」という）を受け付ける。タッチパッド３３は、静電容量式のタッチパッドである。タッチパッド３３は、タッチ入力が行われると、静電容量の変化に基づいてタッチ入力を検出し、タッチされた位置、即ちタッチ入力の位置を示す座標信号と、タッチされた領域の面積、即ちタッチ面積を示す面積信号とを出力する。座標信号と面積信号は、後述する制御部４０に対して、ハードウェア割り込みにより送信される。たとえば、タッチされた領域の面積重心がタッチ入力の位置とされる。なお、タッチパッド３３が、複数のタッチを同時に検出できる、いわゆるマルチタッチに対応したタッチパッドである場合、タッチパッド３３は、上記のような座標信号および面積信号を、タッチの数だけ出力する。
【００３４】
デジタイザセンサ３４は、液晶表示部３２の表示面下に配され、入力受付面３１ａを介してデジタイザペン２０による入力（以下、「ペン入力」という）を受け付ける。デジタイザセンサ３４は、デジタイザペン２０とともに、電磁式のデジタイザを構成する。デジタイザセンサ３４には、各座標位置にセンサコイルが配されている。デジタイザセンサ３４は、一定周期で各センサコイルに交流電流を流す。
【００３５】
デジタイザペン２０のペン先２１がデジタイザセンサ３４に接近すると、デジタイザセンサ３４の各センサコイルに流れる交流電流によって、デジタイザペン２０の巻線コイルに誘導起電力が生じる。デジタイザペン２０では、この誘導起電力によって、巻線コイルとコンデンサからなるＬＣ共振回路に電流が流れる。こうして巻線コイルに電流が流れると、デジタイザセンサ３４側のセンサコイルのうち、デジタイザペン２０付近のセンサコイルに誘導起電力が生じる。デジタイザセンサ３４は、最も大きな誘導起電力が生じたセンサコイルを特定し、このセンサコイルの座標位置を示す座標信号を出力する。
【００３６】
デジタイザペン２０は、ペン先２１が入力受付面３１ａに押し当てられると、デジタイザペン２０の内部に配された巻線コイルが縮むように構成されている。デジタイザペン２０が入力受付面３１ａに押し当てられることにより巻線コイルが縮むと、デジタイザセンサ３４のセンサコイルを流れる電流量が変化する。デジタイザセンサ３４は、この電流量の変化に応じて、デジタイザペン２０が接触したことを示す接触信号を出力する。デジタイザペン２０が入力受付面３１ａから離されると、巻線コイルの縮みが解消されるため、デジタイザセンサ３４のセンサコイルに流れる電流量が変化する。デジタイザセンサ３４は、この電流量の変化に応じて、デジタイザペン２０が離間したことを示す離間信号を出力する。
【００３７】
図２は、情報端末装置１の構成を示すブロック図である。
【００３８】
情報端末装置１は、図１（ａ）、（ｂ）に示した液晶表示部３２、タッチパッド３３、デジタイザセンサ３４およびデジタイザペン２０に加え、制御部４０および記憶部５０を備える。制御部４０および記憶部５０は、図１（ａ）に示す筐体１０内に収容されている。
【００３９】
制御部４０は、ＣＰＵ、タイマー等を含み、記憶部５０は、ＲＯＭ、ＲＡＭ、フラッシュメモリ等を含む。記憶部５０は、後述する入力モード切替処理のためのプログラムを含む各種のプログラムを記憶している。制御部４０は、情報端末装置１の各部から信号を受信し、記憶部５０に記憶されたプログラムに従って、情報端末装置１の各部を制御する。
【００４０】
制御部４０は、入力モード切替処理を実行し、ユーザによる切替操作に基づいて、情報端末装置１の入力モードを、マルチ入力モードとペンモードとの間で切り替える。より具体的に、制御部４０は、マルチモードに設定されているときに、第１切替条件を満たす入力がタッチパネル３０に受け付けられたことに基づいて、マルチモードからペンモードに切り替える。また、制御部４０は、マルチモードに設定されているときに、第２切替条件を満たす入力がタッチパネル３０に受け付けられたことに基づいて、ペンモードからマルチモードに切り替える。本実施形態では、第１切替条件および第２切替条件が、デジタイザペン２０による入力受付面３１ａへのタッチが、当該タッチの位置（座標位置）の変動が規定範囲Ｒ内に留まる状態で規定時間Ｔ１以上継続するとの条件を含む。
【００４１】
入力モードがマルチモードに設定された場合、ユーザによるペン入力およびタッチ入力が有効となり、制御部４０は、デジタイザセンサ３４が受け付けたペン入力またはタッチパッド３３が受け付けたタッチ入力に応じた処理を実行する。一方、入力モードがペンモードに設定された場合、ペン入力は有効となるがタッチ入力は無効となり、制御部４０は、デジタイザセンサ３４が受け付けたペン入力に応じた処理を実行するが、タッチパッド３３が受け付けたタッチ入力を無視する。
【００４２】
図３（ａ）は、ユーザがデジタイザペン２０を用いて入力モードの切替操作を行っている様子を示す図であり、図３（ｂ）は、ユーザがデジタイザペン２０を用いて手書き入力操作を行っている様子を示す図である。
【００４３】
図３（ａ）に示すように、ユーザは、デジタイザペン２０で入力受付面３１ａに文字等を入力するに際し、入力モードをマルチモードからペンモードに切り替える。この場合、デジタイザペン２０で文字等を描き始める前に、一度、デジタイザペン２０のペン先２１を入力受付面３１ａに当て、しばらくの間ペン先２１を静止させたままとし、その後、ペン先２１を入力受付面３１ａから離す。上述した第１切替条件が満たされ、入力モードがマルチモードからペンモードに切り替わる。また、ペンモードが設定されている状態において、ユーザが同様な操作を行えば、上述した第２切替条件が満たされ、入力モードがペンモードからマルチモードに切り替わる。なお、規定範囲Ｒは、ユーザがデジタイザペン２０を静止状態に保持しようとした際に生じ得るペン先２１の揺れを考慮し、多少の揺れが生じた場合にも静止状態と見なされるような値、たとえば、５〜１０ドット程度の値に設定される。また、規定時間Ｔ１は、デジタイザペン２０のペン先２１が瞬間的に入力受付面３１ａに触れるのではなく、ユーザが意図的にデジタイザペン２０で入力受付面３１ａを長押ししたと判定でき得る時間、たとえば、１〜２秒程度の時間に設定される。
【００４４】
一方、図３（ｂ）に示すように、ユーザが、デジタイザペン２０で入力受付面３１ａに文字等を入力する場合、ペン先２１は、規定時間Ｔ１の間、規定範囲Ｒ内に留まることなく、描かれる文字に応じた動きをとる。このため、ユーザが文字等を描く手書き操作を行った場合には、上述した第１切替条件および第２切替条件が満たされず、入力モードが切り替わることはない。
【００４５】
図４および図５は、入力モード切替処理を示すフローチャートである。
【００４６】
制御部４０は、デジタイザセンサ３４がペン入力を受け付けると（Ｓ１１：ＹＥＳ）、受け付けられたペン入力の種別を判定する（Ｓ１２）。受け付けられたペン入力が、デジタイザペン２０が入力受付面３１ａにタッチされたことを示すものである場合（Ｓ１２：タッチ）、制御部４０は、そのときのデジタイザペン２０の座標位置を、開始座標に設定する（Ｓ１３）。そして、制御部４０は、デジタイザペン２０が入力受付面３１ａにタッチされている時間を計測するため、タイマーを作動させる（Ｓ１４）。
【００４７】
Ｓ１２において、受け付けられたペン入力が、デジタイザペン２０が入力受付面３１ａにタッチされている最中であることを示すものである場合（Ｓ１２：タッチ中）、既に開始座標が設定されていれば（Ｓ１５：ＹＥＳ）、制御部４０は、現在のデジタイザペン２０の座標位置と開始座標との距離、即ち、開始座標からのデジタイザペン２０の座標位置の変動量Ｒ０を取得する（Ｓ１６）。そして、制御部４０は、取得した変動量Ｒ０が規定範囲Ｒ内であるか否かを判定する（Ｓ１７）。
【００４８】
変動量Ｒ０が規定範囲Ｒ内である場合（Ｓ１７：ＹＥＳ）、開始座標の設定が維持されるとともにタイマーの動作が維持される。一方、変動量Ｒ０が規定範囲Ｒ内でない場合には（Ｓ１７：ＹＥＳ）、制御部４０は、開始座標を消去するとともに（Ｓ１８）、タイマーを停止させてリセットする（Ｓ１９）。
【００４９】
Ｓ１２において、受け付けられたペン入力が、デジタイザペン２０が入力受付面３１ａからリリースされたことを示すものである場合（Ｓ１２：リリース）、既に開始座標が設定されていれば（Ｓ１５：ＹＥＳ）、制御部４０は、ターマーの計測時間Ｔ０が規定時間Ｔ１以上であるか否かを判定する（Ｓ２１）。計測時間Ｔ０が規定時間Ｔ１以上である場合（Ｓ２１：ＹＥＳ）、制御部４０は、現在の入力モードが、マルチモードとペンモードの何れに設定されているのかを判定する（Ｓ２２）。マルチモードに設定されている場合（Ｓ２２：マルチ）、制御部４０は、マルチモードからペンモードに切り替える（Ｓ２３）。一方、ペンモードに設定されている場合（Ｓ２２：ペン）、制御部４０は、ペンモードからマルチモードに切り替える（Ｓ２４）。その後、制御部４０は、開始座標を消去するとともに（Ｓ２５）、タイマーを停止させてリセットする（Ｓ２６）。
【００５０】
マルチモードが設定されている状態において、ペンモードに切り替えるために、ユーザがデジタイザペン２０で入力受付面３１ａにタッチすると、Ｓ１２でタッチとの判定がなされ、Ｓ１３およびＳ１４の処理が実行される。続いて、ユーザがデジタイザペン２０を入力受付面３１ａにタッチしたまま静止状態を維持すると、Ｓ１２でタッチ中との判定がなされ、Ｓ１５からＳ１７の処理が繰り返される。その後、ユーザがデジタイザペン２０を入力受付面３１ａからリリースすると、Ｓ１２でリリースとの判定がなされ、Ｓ２０からＳ２３、Ｓ２５、Ｓ２６の処理が実行される。こうして、入力モードがマルチモードからペンモ−ドに切り替わる。
【００５１】
同様に、ペンモードが設定されている状態において、マルチモードに切り替えるために、ユーザがデジタイザペン２０で入力受付面３１ａにタッチすると、Ｓ１２でタッチとの判定がなされ、Ｓ１３およびＳ１４の処理が実行される。続いて、ユーザがデジタイザペン２０を入力受付面３１ａにタッチしたまま静止状態を維持すると、Ｓ１２でタッチ中との判定がなされ、Ｓ１５からＳ１７の処理が繰り返される。その後、ユーザがデジタイザペン２０を入力受付面３１ａからリリースすると、Ｓ１２でリリースとの判定がなされ、Ｓ２０からＳ２２、Ｓ２４からＳ２６の処理が実行される。こうして、入力モードがペンモードからマルチモ−ドに切り替わる。
【００５２】
なお、ユーザがデジタイザペン２０で文字等の入力を行う場合は、デジタイザペン２０が入力受付面３１ａにタッチされた状態で動かされるので、Ｓ１７でのＮＯの判定によりＳ１８およびＳ１９の処理が実行され、その後、デジタイザペン２０が入力受付面３１ａからリリースされたときには、Ｓ２１以降の処理が実行されることはなく、入力モードは切り替わらない。
【００５３】
図６（ａ）は、情報端末装置１がマルチモードに設定されているときのタッチパネル３０の画面表示例を示す図であり、図６（ｂ）は、情報端末装置１がマルチモードに設定されているときのタッチパネル３０の画面表示例を示す図である。
【００５４】
図６（ａ）に示すように、マルチモードに設定されている間、制御部４０は、タッチパネル３０、即ち、液晶表示部３２にマルチモード通知アイコンＣ１を表示させる。たとえば、マルチモード通知アイコンＣ１は、タッチのために人差し指を伸ばす手の画像により構成される。マルチモード通知アイコンＣ１により、マルチモードに設定されておりタッチ入力が有効であることが通知される。
【００５５】
一方、図６（ｂ）に示すように、ペンモードに設定されている間、制御部４０は、液晶表示部３２に、ペンモード通知アイコンＣ２を表示させる。たとえば、ペンモード通知アイコンＣ２は、タッチのために人差し指を伸ばす手の近傍にバツ印を記した画像により構成される。ペンモード通知アイコンＣ２により、ペンモードに設定されておりタッチ入力が無効であることが通知される。
【００５６】
＜実施形態の効果＞
以上、本実施形態によれば、以下の効果が奏される。
【００５７】
ユーザは、デジタイザペン２０での文字等の入力を始めるに際してデジタイザペン２０のペン先２１を入力受付面３１ａ上で静止させる、という自然な操作によって、入力モードを、タッチ入力を無効とするペンモードへ切り替えることができる。
【００５８】
また、ユーザは、デジタイザペン２０での文字等の入力を終えるに際してデジタイザペン２０のペン先２１を入力受付面３１ａ上で静止させる、という自然な操作によって、入力モードを、タッチ入力を有効とするマルチモードへ切り替えることができる。
【００５９】
さらに、ユーザは、タッチパネル３０（液晶表示部３２）に表示されたマルチモード通知アイコンＣ１またはペンモード通知アイコンＣ２を確認することにより、タッチ入力が有効であるか無効であるかの状態を容易に把握できる。
【００６０】
以上、本発明の実施形態について説明したが、本発明は、上記実施形態によって何ら制限されるものではなく、また、本発明の実施形態も、上記以外に種々の変更が可能である。以下、各種の変更例について説明する。
【００６１】
＜変更例１＞
上記実施形態では、入力モードを切り替えるための第１切替条件および第２切替条件が、デジタイザペン２０による入力受付面３１ａへのタッチが、当該タッチの位置（座標位置）の変動が規定範囲Ｒ内に留まる状態で規定時間Ｔ１以上継続するとの条件を含む。
【００６２】
これに対し、本変更例では、第１切替条件および第２切替条件が、上記実施形態での条件に加え、デジタイザペン２０による入力受付面３１ａへのタッチが規定時間Ｔ１以上継続する期間において、タッチ入力がタッチパッド３３に受け付けられるとの条件を含む。
【００６３】
図７は、本変更例に係る、入力モード切替処理を示すフローチャートである。本変更例の入力モード切替処理では、図４および図５に示す上記実施形態の入力モード切替処理に比較して、Ｓ３１ないしＳ３３の処理が付加されている。
【００６４】
即ち、本変更例では、デジタイザセンサ３４がペン入力を受け付けたとき（Ｓ１１：ＹＥＳ）、制御部４０は、タッチパッド３３がタッチ入力を受け付けているか否かを判定する（Ｓ３１）。タッチ入力が受け付けられていれば（Ｓ３１：ＹＥＳ）、制御部４０は、ペン入力の種別を判定する（Ｓ１２）。一方、タッチ入力が受け付けられていなければ（Ｓ３１：ＮＯ）、制御部４０は、Ｓ１２以降の処理を行わず、開始座標が設定され、タイマーが作動していれば、開始座標を消去するとともに（Ｓ３２）、タイマーを停止させてリセットする（Ｓ３３）。
【００６５】
本変更例では、入力モードを、マルチモードからペンモード、あるいは、ペンモードからマルチモードに切り替える場合、ユーザは、デジタイザペン２０を握った手を入力受付面３１ａ上に置いた状態で、デジタイザペン２０のペン先２１で入力受付面３１ａにタッチし、しばらくの間ペン先２１を静止状態に保った後、ペン先２１を入力受付面３１ａからリリースする。
【００６６】
デジタイザペン２０を握った手が入力受付面３１ａ上に置かれた状態では、Ｓ３１でタッチ入力中との判定がなされるため、ユーザがデジタイザペン２０で入力受付面３１ａにタッチしたとき、Ｓ１３およびＳ１４の処理が実行され、続いて、ユーザがデジタイザペン２０を入力受付面３１ａにタッチしたまま静止状態を維持したとき、その間、Ｓ１５からＳ１７の処理が繰り返され、その後、ユーザがデジタイザペン２０を入力受付面３１ａからリリースしたとき、Ｓ２０からＳ２６の処理が実行される。これにより、入力モードが、マルチモードからペンモード、あるいは、ペンモードからマルチモードに切り替わる。
【００６７】
一方、手に持っていたデジタイザペン２０が偶然に入力受付面３１ａに触れてしまった等、タッチパッド３３にタッチ入力が受け付けられていない状態で、デジタイザペン２０が入力受付面３１ａにタッチされた場合は、Ｓ１２以降の処理に進まないため、規定時間Ｔ１が経過した後にデジタイザペン２０が入力受付面３１ａからリリースされても、入力モードが切り替わることはない。
【００６８】
以上、本変更例の構成によれば、デジタイザペン２０を握った手を入力受付面３１ａに置くことが入力モードの切替条件に加わることで、ユーザの意図しない誤操作による入力モードの切り替わりを抑制できる。しかも、ユーザが意図的にデジタイザペン２０で入力受付面３１ａにタッチするときには、デジタイザペン２０を握った手を自然と入力受付面３１ａに置きやすい。よって、本変更例の構成の場合も、ユーザは、自然な操作によって、入力モードを切り替えることができる。
【００６９】
＜変更例２＞
本変更例では、第１切替条件および第２切替条件が、上記変更例１での条件に加え、タッチパッド３３に受け付けられるタッチ入力のタッチ面積Ｓが規定面積ＲＳ以上となるとの条件を含む。
【００７０】
図８（ａ）は、本変更例に係る、入力モード切替処理を示すフローチャートであり、図８（ｂ）は、本変更例に係る、ユーザがデジタイザペン２０を用いて入力モードの切替操作を行っている様子を示す図である。本変更例の入力モード切替処理では、図４および図５に示す上記実施形態の入力モード切替処理に比較して、Ｓ３１ないしＳ３４の処理が付加されている。なお、図８（ａ）には、Ｓ３４以前の処理のみが示されている。
【００７１】
即ち、本変更例では、タッチパッド３３がタッチ入力を受け付けているとの判定がなされると（Ｓ３１：ＹＥＳ）、制御部４０は、受け付けられているタッチ入力のタッチ面積Ｓが規定面積ＲＳ以上であるか否かを判定する（Ｓ３４）。デジタイザペン２０を握った手が入力受付面３１ａに置かれた場合に、そのときのタッチ面積Ｓが規定面積ＲＳ以上となるように、規定面積ＲＳの大きさが設定される。
【００７２】
タッチ面積Ｓが規定面積ＲＳ以上であれば（Ｓ３４：ＹＥＳ）、制御部４０は、ペン入力の種別を判定する（Ｓ１２）。一方、タッチ入力が受け付けられていない場合（Ｓ３１：ＮＯ）、または、受け付けられているタッチ入力のタッチ面積Ｓが規定面積ＲＳ未満である場合（Ｓ３４：ＮＯ）、制御部４０は、Ｓ１２以降の処理を行わず、開始座標が設定され、タイマーが作動していれば、開始座標を消去するとともに（Ｓ３２）、タイマーを停止させてリセットする（Ｓ３３）。
【００７３】
本変更例では、変更例１と同様、入力モードを、マルチモードからペンモード、あるいは、ペンモードからマルチモードに切り替える場合、ユーザは、デジタイザペン２０を握った手を入力受付面３１ａ上に置いた状態で、デジタイザペン２０のペン先２１で入力受付面３１ａにタッチし、しばらくの間ペン先２１を静止状態に保った後、ペン先２１を入力受付面３１ａからリリースする。
【００７４】
デジタイザペン２０を握った手が入力受付面３１ａ上に置かれた状態では、Ｓ３１でタッチ入力中との判定がなされ、さらに、Ｓ３４でタッチ面積Ｓが規定面積ＲＳ以上との判定がなされるため、ユーザがデジタイザペン２０で入力受付面３１ａにタッチしたとき、Ｓ１３およびＳ１４の処理が実行され、続いて、ユーザがデジタイザペン２０を入力受付面３１ａにタッチしたまま静止状態を維持したとき、その間、Ｓ１５からＳ１７の処理が繰り返され、その後、ユーザがデジタイザペン２０を入力受付面３１ａからリリースしたとき、Ｓ２０からＳ２６の処理が実行される。これにより、入力モードが、マルチモードからペンモード、あるいは、ペンモードからマルチモードに切り替わる。
【００７５】
一方、タッチパッド３３にタッチ入力が受け付けられていない場合、あるいは、タッチ入力が受け付けられも、タッチ面積Ｓが規定面積ＲＳより小さく、デジタイザペン２０を握った手によるタッチ入力と看做されない場合に、デジタイザペン２０が入力受付面３１ａにタッチされても、Ｓ１２以降の処理に進まない。このため、規定時間Ｔ１が経過した後にデジタイザペン２０が入力受付面３１ａからリリースされても、入力モードが切り替わることはない。
【００７６】
以上、本変更例の構成によれば、タッチ入力におけるタッチ面積Ｓが入力モードの切替条件に加わることで、受け付けられたタッチ入力が、デジタイザペン２０を握った手が入力受付面３１ａに置かれたことによるものであるか否かを精度よく判定できるので、ユーザの意図しない誤操作による入力モードの切り替わりを一層抑制できる。
【００７７】
＜変更例３＞
本変更例では、第１切替条件および第２切替条件が、上記変更例１での条件に加え、タッチパッド３３に受け付けられたタッチ入力のタッチ面積Ｓの変化度合Ｃが規定度合ＲＣ以下となるとの条件を含む。
【００７８】
図９は、本変更例に係る、入力モード切替処理を示すフローチャートである。本変更例の入力モード切替処理では、図４および図５に示す上記実施形態の入力モード切替処理に比較して、Ｓ３１ないしＳ３３、Ｓ３５の処理が付加されている。なお、図９には、Ｓ３５以前の処理のみが示されている。
【００７９】
即ち、本変更例では、タッチパッド３３がタッチ入力を受け付けているとの判定がなされると（Ｓ３１：ＹＥＳ）、制御部４０は、受け付けられているタッチ入力のタッチ面積Ｓの変化度合Ｃが規定度合ＲＣ以下であるか否かを判定する（Ｓ３５）。ユーザがデジタイザペン２０を握った手を入力受付面３１ａに置いてデジタイザペン２０の先端を入力受付面３１ａに接触させるときには、置かれた手は静止した状態となりやすく、手で触れられた入力受付面３１ａの領域の面積は変化しにくい。よって、デジタイザペン２０を握った手が入力受付面３１ａに置かれた場合に、そのときのタッチ面積Ｓの初期からの変化度合Ｃが規定度合ＲＣ以下となるように、規定度合ＲＣの大きさが設定される。
【００８０】
タッチ面積Ｓの変化度合Ｃが規定度合ＲＣ以下であれば、（Ｓ３５：ＹＥＳ）、制御部４０は、ペン入力の種別を判定する（Ｓ１２）。一方、タッチ入力が受け付けられていない場合（Ｓ３１：ＮＯ）、または、受け付けられているタッチ入力のタッチ面積Ｓの変化度合Ｃが規定度合ＲＣを超える場合（Ｓ３５：ＮＯ）、制御部４０は、Ｓ１２以降の処理を行わず、開始座標が設定され、タイマーが作動していれば、開始座標を消去するとともに（Ｓ３２）、タイマーを停止させてリセットする（Ｓ３３）。
【００８１】
本変更例では、変更例１と同様、入力モードを、マルチモードからペンモード、あるいは、ペンモードからマルチモードに切り替える場合、ユーザは、デジタイザペン２０を握った手を入力受付面３１ａ上に置いた状態で、デジタイザペン２０のペン先２１で入力受付面３１ａにタッチし、しばらくの間ペン先２１を静止状態に保った後、ペン先２１を入力受付面３１ａからリリースする。
【００８２】
デジタイザペン２０を握った手が入力受付面３１ａ上に置かれた状態では、Ｓ３１でタッチ入力中との判定がなされ、さらに、Ｓ３５でタッチ面積Ｓの変化度合Ｃが規定度合ＲＣ以下との判定がなされるため、ユーザがデジタイザペン２０で入力受付面３１ａにタッチしたとき、Ｓ１３およびＳ１４の処理が実行され、続いて、ユーザがデジタイザペン２０を入力受付面３１ａにタッチしたまま静止状態を維持したとき、その間、Ｓ１５からＳ１７の処理が繰り返され、その後、ユーザがデジタイザペン２０を入力受付面３１ａからリリースしたとき、Ｓ２０からＳ２６の処理が実行される。これにより、入力モードが、マルチモードからペンモード、あるいは、ペンモードからマルチモードに切り替わる。
【００８３】
一方、タッチパッド３３にタッチ入力が受け付けられていない場合、あるいは、タッチ入力が受け付けられも、タッチ面積Ｓの変化度合Ｃが規定度合ＲＣより大きく、デジタイザペン２０を握った手によるタッチ入力と看做されない場合に、デジタイザペン２０が入力受付面３１ａにタッチされても、Ｓ１２以降の処理に進まない。このため、規定時間Ｔ１が経過した後にデジタイザペン２０が入力受付面３１ａからリリースされても、入力モードが切り替わることはない。
【００８４】
以上、本変更例の構成によれば、タッチ入力におけるタッチ面積Ｓの変化度合Ｃが入力モードの切替条件に加わることで、受け付けられたタッチ入力が、デジタイザペン２０を握った手が入力受付面３１ａに置かれたことによるものであるか否かを精度よく判定できるので、ユーザの意図しない誤操作による入力モードの切り替わりを一層抑制できる。
【００８５】
＜変更例４＞
本変更例では、第１切替条件および第２切替条件が、上記変更例１での条件に加え、デジタイザセンサ３４に受け付けられたデジタイザペン２０による入力受付面３１ａへのタッチ位置（座標位置）Ｐ１と、タッチパッド３３に受け付けられるタッチ入力の位置（タッチ面積Ｓの面積重心）Ｐ２との距離Ｌが規定距離ＲＬ以下であるとの条件を含む、
図１０（ａ）は、本変更例に係る、入力モード切替処理を示すフローチャートであり、図１０（ｂ）は、本変更例に係る、ユーザがデジタイザペン２０を用いて入力モードの切替操作を行っている様子を示す図である。本変更例の入力モード切替処理では、図４および図５に示す上記実施形態の入力モード切替処理に比較して、Ｓ３１ないしＳ３３、Ｓ３６、Ｓ３７の処理が付加されている。なお、図１０（ａ）には、Ｓ３７以前の処理のみが示されている。
【００８６】
即ち、本変更例では、タッチパッド３３がタッチ入力を受け付けているとの判定がなされると（Ｓ３１：ＹＥＳ）、制御部４０は、デジタイザペン２０の座標位置Ｐ１とタッチ入力の位置Ｐ２との距離Ｌを取得する（Ｓ３６）。そして、制御部４０は、取得した距離Ｌが規定距離ＲＬ以下であるか否かを判定する（Ｓ３７）。ユーザがデジタイザペン２０を握った手を入力受付面３１ａに置いてデジタイザペン２０を入力受付面３１ａに接触させているとき、デジタイザペン２０の座標位置Ｐ１とタッチ入力の位置Ｐ２との距離Ｌは、大凡決まった大きさとなる。よって、デジタイザペン２０を握った手が入力受付面３１ａに置かれた場合に、そのときのデジタイザペン２０の座標位置Ｐ１とタッチ入力の位置Ｐ２との距離Ｌが規定距離ＲＬ以下となるように、規定距離ＲＬの大きさが設定される。
【００８７】
距離Ｌが規定距離ＲＬ以下であれば、（Ｓ３７：ＹＥＳ）、制御部４０は、ペン入力の種別を判定する（Ｓ１２）。一方、タッチ入力が受け付けられていない場合（Ｓ３１：ＮＯ）、または、距離Ｌが規定距離ＲＬを超える場合（Ｓ３７：ＮＯ）、制御部４０は、Ｓ１２以降の処理を行わず、開始座標が設定され、タイマーが作動していれば、開始座標を消去するとともに（Ｓ３２）、タイマーを停止させてリセットする（Ｓ３３）。
【００８８】
本変更例では、変更例１と同様、入力モードを、マルチモードからペンモード、あるいは、ペンモードからマルチモードに切り替える場合、ユーザは、デジタイザペン２０を握った手を入力受付面３１ａ上に置いた状態で、デジタイザペン２０のペン先２１で入力受付面３１ａにタッチし、しばらくの間ペン先２１を静止状態に保った後、ペン先２１を入力受付面３１ａからリリースする。
【００８９】
デジタイザペン２０を握った手が入力受付面３１ａ上に置かれた状態では、Ｓ３１でタッチ入力中との判定がなされ、さらに、Ｓ３７でデジタイザペン２０の座標位置Ｐ１とタッチ入力の位置Ｐ２との距離Ｌが規定距離ＲＬ以下との判定がなされるため、ユーザがデジタイザペン２０で入力受付面３１ａにタッチしたとき、Ｓ１３およびＳ１４の処理が実行され、続いて、ユーザがデジタイザペン２０を入力受付面３１ａにタッチしたまま静止状態を維持したとき、その間、Ｓ１５からＳ１７の処理が繰り返され、その後、ユーザがデジタイザペン２０を入力受付面３１ａからリリースしたとき、Ｓ２０からＳ２６の処理が実行される。これにより、入力モードが、マルチモードからペンモード、あるいは、ペンモードからマルチモードに切り替わる。
【００９０】
一方、タッチパッド３３にタッチ入力が受け付けられていない場合、あるいは、タッチ入力が受け付けられも、デジタイザペン２０の座標位置Ｐ１とタッチ入力の位置Ｐ２との距離Ｌが規定距離ＲＬより大きく、デジタイザペン２０を握った手によるタッチ入力と看做されない場合に、デジタイザペン２０が入力受付面３１ａにタッチされても、Ｓ１２以降の処理に進まない。このため、規定時間Ｔ１が経過した後にデジタイザペン２０が入力受付面３１ａからリリースされても、入力モードが切り替わることはない。
【００９１】
以上、本変更例の構成によれば、デジタイザペン２０の座標位置Ｐ１とタッチ入力の位置Ｐ２との距離Ｌが入力モードの切替条件に加わることで、受け付けられたタッチ入力が、デジタイザペン２０を握った手が入力受付面３１ａに置かれたことによるものであるか否かを精度よく判定できるので、ユーザの意図しない誤操作による入力モードの切り替わりを一層抑制できる。
【００９２】
＜変更例５＞
上記実施形態では、入力モードをペンモードからマルチモードに切り替えるための第２切替条件が、デジタイザペン２０による入力受付面３１ａへのタッチが、当該タッチの位置（座標位置）の変動が規定範囲Ｒ内に留まる状態で規定時間Ｔ１以上継続するとの条件を含む。
【００９３】
これに対し、本変更例では、第２切替条件が、上記実施形態での条件に加え、デジタイザペン２０による入力受付面３１ａへのタッチの継続時間が制限時間Ｔ２を超えないとの条件を含む。
【００９４】
図１１は、本変更例に係る、入力モード切替処理を示すフローチャートである。本変更例の入力モード切替処理では、図４および図５に示す上記実施形態の入力モード切替処理に比較して、Ｓ３８の処理が付加されている。
【００９５】
即ち、本変更例では、タイマーの計測時間Ｔ０が規定時間Ｔ１以上であり（Ｓ２１：ＹＥＳ）、現在の入力モードが、ペンモードに設定されている場合（Ｓ２２：ペン）、制御部４０は、計測時間Ｔ０が制限時間Ｔ２以内であるか否かを判定する（Ｓ３８）。制限時間Ｔ２は、ユーザが、意図的にデジタイザペン２０で入力受付面３１ａを長押ししたと判定でき得る上限の時間、たとえば、５秒程度の時間に設定される。
【００９６】
計測時間Ｔ０が制限時間Ｔ２以内であれば（Ｓ３８：ＹＥＳ）、制御部４０は、ペンモードからマルチモードに切り替える（Ｓ２４）。一方、計測時間Ｔ０が制限時間Ｔ２を超えていれば（Ｓ３８：ＮＯ）、制御部４０は、入力モードを切り替えない。
【００９７】
ペンモードが設定されている状態において、ユーザがデジタイザペン２０を用いて文字等を入力している途中にデジタイザペン２０のペン先２１を入力受付面３１ａに接触させたまま考え事をするような状況が生じたとき、タッチの継続時間は長くなるので、Ｓ３８で計測時間Ｔ０が制限時間Ｔ２を超えたと判定される。よって、このような状況が生じても、入力モードがペンモードからマルチモ−ドに切り替わらない。
【００９８】
以上、本変更例の構成によれば、ペンモードからマルチモードへの切替条件（第２切替条件）に制限時間Ｔ２を付加することで、ユーザの意図でなく、誤ってペンモードからマルチモードに切り替わってしまうことを防止できる。
【００９９】
＜その他の変更例＞
上記実施形態では、ペンを用いた入力が、電磁式のデジタイザペン２０とデジタイザセンサ３４により行われたが、他の方式の手書き入力デバイスにより行われても良い。また、上記実施形態では、タッチパッド３３は、静電容量式のタッチパッドとされたが、感圧式、光検出式等、他の方式のタッチパッドであっても良い。
【０１００】
また、上記実施形態では、タッチパッド３３がタッチ入力を検出すると、ハードウェア割り込みにより、座標信号および面積信号が、タッチパッド３３から制御部４０に送信された。しかしながら、これに限らず、制御部４０が一定間隔でタッチパッド３３に問い合わせを行うことにより、座標信号と面積信号が、タッチパッド３３から制御部４０に送信されても良い。
【０１０１】
さらに、上記実施形態では、ペンモードに設定されているとき、制御部４０は、タッチパッド３３が受け付けたタッチ入力を無視することにより、タッチ入力を無効にした。しかしながら、制御部４０は、タッチパッド３３がタッチ入力を受け付けないよう、タッチパッド３３を停止させることにより、タッチ入力を無効にするようにしてもよい。
【０１０２】
さらに、上記実施形態では、第１切替条件に含まれる第１所定範囲と第２切替条件に含まれる第２所定範囲として、同じ範囲（閾値）である規定範囲Ｒが用いられた。また、第１切替条件に含まれる第１所定時間と第２切替条件に含まれる第２所定時間として、同じ時間（閾値）である規定時間Ｔ１が用いられた。しかしながら、第１所定範囲と第２所定範囲に、異なる範囲が用いられてよく、第１所定時間と第２所定時間にも、異なる時間が用いられてよい。
【０１０３】
さらに、上記変更例２ないし４は、適宜、組み合わせることができる。また、上記変更例１ないし４に、上記変更例５を組み合わせることもできる。
【０１０４】
さらに、上記変更例５では、第２切替条件に制限時間Ｔ２が付加されているが、第１切替条件にも制限時間Ｔ２が付加されてよい。この場合、Ｓ２１で、タイマーの計測時間Ｔ０が規定時間Ｔ１以上であり制限時間Ｔ２以内であるか否かの判定が行われると良い。
【０１０５】
さらに、上記変更例１ないし４では、デジタイザペン２０が入力受付面３１ａにタッチされるときから入力受付面３１ａからリリースされるときまでの全ての期間において、タッチパッド３３にタッチ入力が受け付けられているとの条件が、第１切替条件および第２切替条件に含まれた。しかしながら、デジタイザペン２０が入力受付面３１ａにタッチされるときや入力受付面３１ａからリリースされるときなど、デジタイザペン２０による入力受付面３１ａへのタッチが規定時間Ｔ１以上継続する間の少なくとも一部の期間において、タッチ入力がタッチパッド３３に受け付けられるとの条件が、第１切替条件および第２切替条件に含まれるようにしてもよい。
【０１０６】
この他、本発明の実施形態は、特許請求の範囲に示された技術的思想の範囲内において、適宜、種々の変更が可能である。
【符号の説明】
【０１０７】
１  情報端末装置
２０  デジタイザペン（筆記具）
３０  タッチパネル（入力受付部）
３１ａ  入力受付面
３２  液晶表示部（表示部）
３３  タッチパッド（第１受付部）
３４  デジタイザセンサ（第２受付部）
４０  制御部
Ｒ  規定範囲（第１所定範囲、第２所定範囲）
Ｔ１  規定時間（第１所定時間、第２所定時間）
ＲＳ  規定面積（所定面積）
ＲＣ  規定度合（所定度合）
ＲＬ  規定距離（所定距離）
Ｔ２  制限時間（第３所定時間）
Ｃ１  マルチモード通知アイコン（画像）
Ｃ２  ペンモード通知アイコン（画像）
【図１】
0006515000.tif 000002
【図２】
0006515000.tif 000003
【図３】
0006515000.tif 000004
【図４】
0006515000.tif 000005
【図５】
0006515000.tif 000006
【図６】
0006515000.tif 000007
【図７】
0006515000.tif 000008
【図８】
0006515000.tif 000009
【図９】
0006515000.tif 000010
【図１０】
0006515000.tif 000011
【図１１】
0006515000.tif 000012